(57)【要約】      （修正有）【課題】確実に内容物を収容し、内容物に関する必要な情報を印刷した部分が簡単にカード片として切離され、このカード片を使用して保管や管理を正確に行うことができる包装用箱を提供する。【解決手段】一枚のブランクシートから一体的に打ち抜かれた箱体形成片から成り、箱体形成片には、互いに平行に連接された側面と、糊付け片２２と、糊付け片２２の連接方向の端部にカード片用破断線３４を介して連接した第１カード片３２を備える。第１カード片３２は、側面の裏面に重ねられ、第１カード片３２が重ねられる側面には、第１カード片３４に重ねられる位置に、カード片用破断線８２で囲まれた第２カード片８０を備える。第２カード片８０は、第１カード片３２よりも小形で、第１カード片３２の一部に付着している。【選択図】図１
0003172649.tif 000002
【実用新案登録請求の範囲】
【請求項１】
一枚のブランクシートから一体的に打ち抜かれた箱体形成片から成り、この箱体形成片には、互いに平行に連接された側面と、前記側面同士を糊付けして筒体に組み立てる糊付け片と、前記糊付け片の連接方向の端部に破断線を介して連接して設けられている第１カード片が設けられ、前記第１カード片は前記一側面の裏面に重ねられ、前記第１カード片が重ねられる前記側面には、前記第１カード片に糊付けされた第２カード片が破断線で囲まれて設けられ、前記第２カード片は前記第１カード片よりも小形であり、前記第１カード片と前記第２カード片には、内容物に関する情報が印刷されていることを特徴とする包装用箱。
【請求項２】
前記第１カード片の端部には、前記箱体形成片の前記側面を組み立てた箱体の一方の開口部から外側に突出する摘み部が折罫線を介して設けられている請求項１記載の包装用箱。
【請求項３】
前記第２カード片を囲む前記カード片用破断線は、前記第１カード片に覆われている請求項１記載の包装用箱。
【考案の詳細な説明】
【技術分野】
【０００１】
この考案は、内容物に関する情報が印刷されたカード片が箱体形成片と一体に設けられている包装用箱に関する。
【背景技術】
【０００２】
従来、食品、医薬品等の商品を収容して店頭に陳列する包装用箱には、商品についての内容説明、使用方法等の情報が印刷されている。しかし、内容説明、使用方法等の情報を包装用箱の表面に印刷する場合には、包装用箱の表面積によって印刷する部分が限定されるため、十分な量の情報を記載することができないという問題がある。また、商品の食品を使用した料理のレシピ等保管する必要がある情報は、包装用箱のまま保管するか、ハサミ等で切り取ってこの切取片を保管する必要がり、消費者にとっては不便なものであった。
そこで、包装用箱に印刷された情報を、印刷された部分を取り外して保管するために、いろいろな包装用箱が考えられている。
【０００３】
例えば、特許文献１に開示されている表示パネル付きカートンは、互いに折罫線を介して連接し組立状態で箱体を形成する４個のパネルと、一方の端部に位置するパネルに連接し、箱体に組み立てられたときに反対側の端部に位置するパネルの表側に重ねられて係止される表示パネルが設けられている。表示パネルと反対側の端部に位置するパネルには、ミシン線で囲まれて切り取り可能な切り取り部が設けられている。切り取り部には、内容物についての情報が印刷されている。この表示パネル付きカートンによれば、必要な情報を印刷した切り取り部を簡単にカートンから切り外し、内容物の管理に使用することができる。
【０００４】
特許文献２に開示されている包装箱は、箱体である包装用箱本体の開口部に配設した外フラップに、切込とミシン目からなる略コの字形の分離可能な舌片を設け、この舌片の裏面に内容物の商品コードが印刷されている。この包装箱によれば、包装箱同士がこすれたり、重なり合ったりした場合でも、商品コードが擦れてキズが付いたり壊れたりすることを防ぐことができる。また、包装箱に付された商品コードを分離して、そのまま管理カードとして利用することができる。
【先行技術文献】
【特許文献】
【０００５】
【特許文献１】特開２００２−２９５２９号公報
【特許文献２】特開平１−２１３１４０号公報
【考案の概要】
【考案が解決しようとする課題】
【０００６】
上記背景技術の場合、いずれも包装箱の表面積を増やすことは考えられておらず、印刷する面積部分が限定されるため、十分な量の情報を印刷することができないという問題がある。
【０００７】
この考案は、上記背景技術の問題点に鑑みてなされたものであり、確実に内容物を収容し、内容物に関する必要な情報を印刷した部分が簡単にカード片として切離され、このカード片を使用して保管や管理を正確に行うことができる包装用箱を提供することを目的とする。
【課題を解決するための手段】
【０００８】
本考案は、一枚のブランクシートから一体的に打ち抜かれた箱体形成片から成り、この箱体形成片には、互いに平行に連接された側面と、前記側面同士を糊付けして筒体に組み立てる糊付け片と、前記糊付け片の連接方向の端部に破断線を介して連接して設けられている第１カード片が設けられている包装用箱である。前記第１カード片は、前記一側面の裏面に重ねられ、前記第１カード片が重ねられる前記側面には、前記第１カード片に重ねられる位置に破断線で囲まれた第２カード片が設けられ、前記第２カード片は、前記第１カード片よりも小形であり前記第１カード片の一部に糊付けされている。前記第１カード片と前記第２カード片には、内容物に関する情報が印刷されている。
【０００９】
前記第１カード片の端部には、前記箱体形成片の前記側面を組み立てた箱体の一方の開口部から外側に突出する摘み部が折罫線を介して設けられている。前記第２カード片を囲む前記カード片用破断線は、前記第１カード片に覆われているものである。
【考案の効果】
【００１０】
本考案の包装用箱は、確実に内容物を収容し、内容物に関する情報を記載した部分が簡単にカード片として切り離され、このカード片を使用して保管や管理を正確に行うことができる。側面に設けられている第２カード片には、商品に関する必要な情報が印刷され容易に利用することができ、側面の内側に位置する第１カード片には、購入した使用者が読むために詳しい情報等が印刷され、第１カード片とともに第２カード片が付いて分離され、必要な情報を有効に利用することができ、むだなく購入者に詳しい情報を提供することができる。しかも、情報を印刷する面積を大きくとることができ、箱体形成片の表面積を効率良く使用することができる。
【図面の簡単な説明】
【００１１】
【図１】この考案の第一実施形態の包装用箱の開封した状態を示す斜視図である。
【図２】この考案の第一実施形態の包装用箱の第１カード片と第２カード片を切断した状態を示す斜視図である。
【図３】この考案の第一実施形態の包装用箱の開封する前の状態を示す斜視図である。
【図４】この考案の第一実施形態の包装用箱の展開図である。
【図５】この考案の第二実施形態の包装用箱の開封した状態を示す斜視図である。
【図６】この考案の第二実施形態の包装用箱の展開図である。
【図７】この考案の第三実施形態の包装用箱の開封した状態を示す斜視図である。
【図８】この考案の第三実施形態の包装用箱の展開図である。
【考案を実施するための形態】
【００１２】
以下、この考案の実施形態について図面に基づいて説明する。図１〜図４はこの考案の第一実施形態を示すもので、この実施形態の包装用箱１０は、紙製等の一枚のブランクシートを打ち抜いて形成された箱体形成片１２を組み立てて設けられている。
【００１３】
図４は、箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０が短くて互いにほぼ等しい。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１４】
糊付片２２は、折罫線２４から離れるに従い幅がせまくなる台形に形成されている。糊付片２２の折罫線２４と反対側の端部には、第１カード片３２がカード片用破断線３４で区切られて設けられている。第１カード片３２は、連接方向の幅方向に長い矩形であり、糊付片２２と合わせた大きさは、箱体形成片１２の組立状態で糊付片２２が糊付けされる側面２０よりも小さいものである。第１カード片３２の、カード片用破断線３４に交差する一方の側縁部には、摘み部３６が折罫線３８を介して設けられている。摘み部３６は、半円状に外側へ向かって膨出する形状である。
【００１５】
側面１４において、第１カード片３２の折罫線３８が設けられている側の端部には、台形状の上側内蓋片４０が折罫線４２で区切られて設けられている。上側内蓋片４０の中心には、後述する上側外蓋片６０の差込片６８が差し込まれて係止する切込線４４が設けられている。切込線４４は折罫線４２に対して平行な１本と、この平行な１本の途中から折罫線４２と反対側へ延出する２本とが形成されている。側面１４の折罫線４２と反対側の端部には、台形状の下側内蓋片４６が折罫線４７で区切られて設けられている。折罫線４７には、解体用破断線４８が重ねて設けられ、解体用破断線４８の中心は、側面１４へ半円状に膨出している。
【００１６】
側面１６の、側面１４の折罫線４２に連続する端部には、台形状の上側フラップ５２が折罫線５４で区切られて設けられている。側面１６の、折罫線５４と反対側の端部には、台形状の下側フラップ５６が折罫線５８で区切られて設けられている。
【００１７】
側面１８の、側面１６の折罫線５４に連続する端部には、台形状の上側外蓋片６０が折罫線６２で区切られて設けられている。上側外蓋片６０の、折罫線６２と反対側の端部６０ａの両端部の、角部を含む矩形の部分は、上側内蓋片４０に糊付けされる一対の糊付け部６４となる。糊付け部６４は、Ｌ字形の開封用破断線６６で囲まれて上側外蓋片６０のその他の部分と区切られている。端部６０ａの、一対の開封用破断線６６に挟まれた中央部分は、上側内蓋片４０の切込線４４に差し込まれる差込片６８となる。差込片６８は、上側外蓋片６０のその他の部分から、端部６０ａに対して平行な折罫線７０で区切られている。側面１８の、折罫線６２と反対側の端部には、台形状の下側外蓋片７２が折罫線７４で区切られて設けられている。
【００１８】
側面２０の、側面１８の折罫線６２に連続する端部には、台形状の上側フラップ７６が折罫線７８で区切られて設けられている。側面２０の、折罫線７８に近い部分には矩形の第２カード片８０が設けられている。第２カード片８０は、カード片用破断線８２で囲まれて形成されている。側面２０の折罫線７８と反対側の端部には、台形状の下側フラップ８４が折罫線８６で区切られて設けられている。
【００１９】
箱体形成片１２の表面には、内容物の名前や広告等の情報が印刷されている。第２カード片８０には、外から読むことができるバーコードや簡単な情報が印刷され、第１カード片３２には、購入した使用者が読むための詳しい情報が印刷されている。
【００２０】
次に、この実施形態の包装用箱１０の組立方法の一例について説明する。なお、ここで図４が包装用箱１０の箱体形成片１２の表面を見たものであり、箱体形成片１２の表面が凸になる折り方を正折り、そして裏面が凸になる折り方を逆折りと称する。
【００２１】
まず、図４に示すように、糊付片２２の表面に糊８８を塗付する。第１カード片３２の表面の、箱体形成片１２の組立状態で側面２０の第２カード片８０に重ねられる部分に、糊９０を塗布する。そして、折罫線２６を正折りし、折罫線３０を正折りする。これにより、糊付片２２の表面は糊８８により側面２０の裏面の連接方向の側縁部近傍に糊付けされ、第１カード片３２は糊９０により側面２０の第２カード片８０の裏面に糊付けされる。箱体形成片１２は、折り畳み状態となり、この状態で出荷される。
【００２２】
次に、内容物を収容し包装する工場等において、商品である内容物を入れる前に、下側内蓋片４６の表面の解体用破断線４８と反対の端部近傍に、糊９４を塗布する。そして、折罫線２４，２６，２８，３０を各々９０°に正折りして四角形の箱体にして、折罫線５８，８６で下側フラップ５６，８４を各々９０°に正折りし、折罫線４７で下側内蓋片４６を９０°に正折りし、折罫線７４で下側外蓋片７２を９０°に正折りする。これにより、下側内蓋片４６の表面は糊９４により下側外蓋片７２の裏面に糊付けされ、箱体の底部が形成され、包装用箱１０が組み立てられる。また、この組み立て前又は後に、上側内蓋片４０の表面の、切込線４４の両側に糊９２を塗布する。
【００２３】
この後、組み立てられた包装用箱１０の中に内容物を入れる。そして、折罫線５４，７８で上側フラップ５２，７６を各々９０°に正折りし、折罫線４２で上側内蓋片４０を９０°に正折りし、折罫線６２で上側外蓋片６０を９０°に正折りする。これにより、上側内蓋片４０の表面は一対の糊９２により上側外蓋片６０の裏面に糊付けされ、図３に示すように箱体の蓋部が形成され、内容物が包装される。このとき、第１カード片３２の摘み部３６は、箱体の蓋部に押されて折罫線３８で９０°に正折りされ、収容される。
【００２４】
包装用箱１０を開封するときは、上側外蓋片６０の差込片６８を持って上方に引き上げ、一対の開封用破断線６６を切断する。上側外蓋片６０の糊付け部６４は上側内蓋片４０に貼り付けられたまま上側外蓋片６０から分離し、図１に示すように、上側外蓋片６０が切断されて開封される。このとき、第１カード片３２の摘み部３６は、外部により押されて９０°に曲げられていた折罫線３８が復元して箱体の開口部から外側に突出する。
【００２５】
次に、第１カード片３２の摘み部３６を持って糊付片２２から離すように引くと、カード片用破断線３４が切断され、第１カード片３２が箱体と分離する。このとき、側面２０の第２カード片８０は糊９０で第１カード片３２に糊付けされているため、図２に示すように、カード片用破断線８２が切断されて第２カード片８０は第１カード片３２に貼りついた状態のままで箱体から分離される。第１カード片３２と第２カード片８０には、内容物についての情報が印刷されているため、任意の場所に保管して内容物の管理に使用する。
【００２６】
包装用箱１０を廃棄するときは、側面１４の解体用破断線４８と折罫線４７の間を包装用箱１０の中に向かって押し込んで、解体用破断線４８を切断する。これにより、側面１４と下側内蓋片４６は分離されて底部が壊され包装用箱１０を平坦に折り畳み、破棄しやすい状態となる。
【００２７】
この実施形態の包装用箱１０によれば、確実に内容物を収容し、内容物に関する情報を記載した第１カード片３２と第２カード片８０が簡単に箱体から切離され、第１カード片３２と第２カード片８０を使用して、保管や管理を簡単で正確に行うことができる。例えば、内容物が医薬品の場合は、第１カード片３２と第２カード片８０を一体として、医薬品の棚や、医薬品を載せたトレー等において管理することができる。第１カード片３２には摘み部３６が設けられ、摘み部３６は包装用箱１０を開封した時に箱体の開口部から突出するため、つまみやすく、第１カード片３２を切り取る操作を容易にすることができる。第１カード片３２を箱体の内側に設けることにより、情報を印刷する面積を増やすことができ、重要な情報を内側に表示することができる。第１カード片３２には、外から読む必要がある情報が印刷され、第１カード片３２には、購入した使用者が読むための詳しい情報が印刷され、印刷スペースを有効に使用して購入者に詳しい情報を提供することができる。第２カード片８０は、側面２０にカード片用破断線８２で囲まれて設けられているが、カード片用破断線８２の裏面には、カード片用破断線８２を塞いで大きな第１カード片３２が位置するため、カード片用破断線８２から細かいごみ等が侵入することがなく、衛生的である。また、第２カード片８０は側面２０の内側部分であり、各折罫線に連続していないため、第２カード片８０を切離しても箱体の形状を維持して、内容物を包装することができる。上側外蓋片６０の開封用破断線６６を切断して開封した後は、上側外蓋片６０の差込片６８を上側内蓋片４０の切込線４４に差し込んで係止して、蓋部を再び閉じることができる。
【００２８】
次にこの考案の第二実施形態について図５、図６に基づいて説明する。なお、ここで、上記実施形態と同様の部材は同様の符号を付して説明を省略する。この実施形態の包装用箱９６は、紙製の一枚のブランクシートを打ち抜いて形成された箱体形成片９８を組み立てて設けられている。
【００２９】
図６は、箱体形成片９８を表面から見た展開図であり、箱体形成片９８は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０が短くて互いにほぼ等しい。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００３０】
糊付片２２の折罫線２４と反対側の端部には、第１カード片３２がカード片用破断線３４で区切られて設けられている。第１カード片３２は、連接方向の幅方向に長い矩形であり、糊付片２２と合わせた大きさは、箱体形成片１２の組立状態で糊付片２２が重ねられる側面２０よりも小さいものであり、連接方向の幅方向の長さは、糊付片２２よりも短く形成されている。第１カード片３２の、カード片用破断線３４に交差する一方の側縁部には、摘み部３６が折罫線３８を介して設けられている。
【００３１】
側面１４において、第１カード片３２の折罫線３８が設けられている側の端部には、上蓋片１００が折罫線１０２で区切られて設けられている。上蓋片１００の、折罫線１０２と反対側の端部には、差込片１０４が折罫線１０６で区切られて設けられている。
【００３２】
側面１４の、折罫線１０２と反対側の端部には、第１底蓋片１０８が折罫線１１０で区切られて設けられている。第１底蓋片１０８の折罫線１１０と反対側の端部１０８ａは、折罫線１１０に対して平行な直線である。第１底蓋片１０８の、折罫線１１０から端部１０８ａまでの長さは、箱体形成片１２の組立状態で底面の中心線付近までの長さ、つまり側面１６，２０の半分の幅に設けられている。第１底蓋片１０８の、折罫線２６に近い部分は、折罫線１１０と折罫線２６の交点から、折罫線１１０から離れるに従い折罫線２６の延長線上から離れる傾斜した直線であり、この直線部分には、三角形状の糊付け部１１２が折罫線１１４で区切られて設けられている。第１底蓋片１０８の端部１０８ａの、糊付け部１１２と反対の部分には、端部１０８ａよりも外側に突出する差込部１１６が設けられている。
【００３３】
側面１６の、側面１４の折罫線１０２に連接する端部には、台形状の上側フラップ１１８が折罫線１２０で区切られて設けられている。側面１６の、折罫線１２０と反対側の端部には、台形状の底フラップ１２２が折罫線１２４で区切られて設けられている。
【００３４】
側面１８の、側面１６の折罫線１２０に連接する端部１８ａの中央付近には、矩形の糊付け部１２６が設けられている。糊付け部１２６は、端部１８ａに連続するコの字形の開封用破断線１２８で囲まれ、周囲と区切られている。
【００３５】
側面１８の、端部１８ａと反対側の端部には、第２底蓋片１３０が折罫線１３２で区切られて設けられている。第２底蓋片１３０の折罫線１３２と反対側の端部１３０ａは、折罫線１３２に対して平行な直線である。第２底蓋片１３０の、折罫線１３２から端部１３０ａまでの長さは、箱体形成片１２の組立状態で底面の中心線付近までの長さ、つまり側面１６，２０の半分の幅に設けられている。第２底蓋片１３０の、折罫線３０に近い部分は、折罫線１３２と折罫線３０の交点から、折罫線１３２から離れるに従い折罫線３０の延長線上から離れる傾斜した直線であり、この直線部分には、三角形状の糊付け部１３４が折罫線１３６で区切られて設けられている。第２底蓋片１３０の端部１３０ａの、糊付け部１３４と反対の部分には、端部１３０ａよりも外側に突出する差込部１３８が設けられている。
【００３６】
側面２０の、側面１８の端部１８ａに連接する端部には、台形状の上側フラップ１４０が折罫線１４２で区切られて設けられている。側面２０の、折罫線３０に近い部分には、矩形の第２カード片８０が設けられている。第２カード片８０は、カード片用破断線８２で囲まれて形成されている。側面２０の、折罫線１４２と反対側の端部には、台形状の底フラップ１４４が折罫線１４６で区切られて設けられている。
【００３７】
次に、この実施形態の包装用箱９６の組立方法の一例について説明する。なお、ここで図６が包装用箱９６の箱体形成片９８の表面を見たものである。
【００３８】
まず、第１底蓋片１０８を折罫線１１０で正折りし、第２底蓋片１３０を折罫線１３２で正折りし、次に第１底蓋片１０８の糊付け部１１２を折罫線１１４で、また第２底蓋片１３０の糊付け部１３４を折罫線１３６で逆折りする。そして底フラップ１２２，１４４を折罫線１２４，１４６で各々正折りする。
【００３９】
次に糊付け部１１２の裏面に糊１４８を、また糊付け部１３４の裏面に糊１５０を塗布する。糊付片２２の表面に糊８８を塗付する。第１カード片３２の表面の、箱体形成片１２の組立状態で側面２０の第２カード片８０に重ねられる部分に、糊９０を塗布する。
【００４０】
この後、折罫線２６を正折りする。これにより、第１底蓋片１０８の糊付け部１１２の裏面は、糊１４８により、底フラップ１２２の表面に糊付けされる。次に、折罫線３０を正折りする。これにより、第２底蓋片１３０の糊付け部１３４の裏面は、糊１５０により、底フラップ１４４の表面に糊付けされる。このとき、糊付片２２と第１カード片３２は側面２０の裏面に重ねられ、糊付片２２の表面は糊８８により側面２０の裏面の連接方向の側縁部近傍に糊付けされ、第１カード片３２は糊９０により側面２０の第２カード片８０の裏面に糊付けされる。これにより箱体形成片９８は折り畳み状態となり、この状態で出荷される。
【００４１】
次に商品を収容し包装する工場等において、折罫線２４，２６，２８，３０を各々９０°に正折りして四角形の箱体にする。このとき、第１底蓋片１０８は側面１４から底フラップ１２２とともに引き起こされて折罫線１１０で直角に正折りされ、同時に第２底蓋片１３０は側面１８から底フラップ１４４とともに引き起こされて折罫線１３２で直角に正折りされる。そして、第１底蓋片１０８の差込部１１６が第２底蓋片１３０の端部１３０ａの内側に重ねられ、第２底蓋片１３０の差込部１３８が第１底蓋片１０８の端部１０８ａの内側に重ねられて、互いに係止されて箱体の底部が形成され、包装用箱９６が組み立てられる。
【００４２】
この後、ここまで組み立てられた包装用箱９６の中に内容物を入れる。そして折罫線１２０，１４２で上側フラップ１１８，１４０を各々９０°に正折りし、折罫線１０２で上蓋片１００を９０°に正折りし、差込片１０４を折罫線１０６で正折りし、差込片１０４を側面１８の内側に差し込み、糊１５２により糊付け部１２６に糊付けし、箱体の蓋部が形成され、内容物が包装される。
【００４３】
包装用箱９６を開封するときは、側面１８の糊付け部１２６を箱体の内側に向かって押して開封用破断線１２８を切断し、上蓋片１００を開封し、上方に引き上げる。第１カード片３２は、第一実施形態と同様に、摘み部３６を持って糊付片２２から離すように引くと、カード片用破断線３４が切断され、箱体と分離する。側面２０の第２カード片８０は糊９０で第１カード片３２に糊付けされているため、カード片用破断線８２が切断されて第１カード片３２に貼りついた状態のままで箱体から分離される。
【００４４】
この実施形態の包装用箱９６によれば、第一実施形態の包装用箱１０と同様の効果を有するものである。また箱体の組立が簡単であり、ワンタッチで底部を形成することができる。
【００４５】
次にこの考案の第三実施形態について図７、図８に基づいて説明する。なお、ここで、上記実施形態と同様の部材は同様の符号を付して説明を省略する。この実施形態の包装用箱１５４は、紙製の一枚のブランクシートを打ち抜いて形成された箱体形成片１５６を組み立てて設けられている。
【００４６】
図８は、箱体形成片１５６を表面から見た展開図であり、箱体形成片１５６は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０が短くて互いにほぼ等しい。側面１４の側縁部には、包装用箱１０の組立状態で側面２０の裏面に糊付けされる糊付片２２が設けられている。糊付片２２の、連接している幅方向の長さは、側面１４に連続する側縁部は側面１４とほぼ等しく、側面１４と反対側の側縁部は少し短く形成され、台形状になっている。糊付片２２の連接方向の長さは、側面１６，２０とほぼ等しい。糊付片２２、側面１４，１６，１８，２０は、各々折罫線２４，２６，２８，３０で区切られている。
【００４７】
糊付片２２の折罫線２４と反対側の端部には、第１カード片３２がカード片用破断線３４で区切られて設けられている。第１カード片３２は、連接方向の幅方向に長い矩形であり、箱体形成片１５６の組立状態で重ねられる側面１８よりも小さいものである。第１カード片３２の、カード片用破断線３４に交差する一方の側縁部には、摘み部３６が折罫線３８を介して設けられている。
【００４８】
側面１４において、第１カード片３２の折罫線３８が設けられている側の端部１４ａの中央付近には、矩形の糊付け部１５８が設けられている。糊付け部１５８は、端部１４ａに連続するコの字形の開封用破断線１６０で囲まれ、周囲と区切られている。側面１４の、端部１４ａと反対側の端部１４ｂの中央付近には、矩形の糊付け部１６２が設けられている。糊付け部１６２は、端部１４ｂに連続するコの字形の開封用破断線１６４で囲まれ、周囲と区切られている。
【００４９】
側面１６の、側面１４の端部１４ａに連接する端部には、台形状の上側フラップ１６６が折罫線１６８で区切られて設けられている。側面１６の、折罫線１６８と反対側の端部には、台形状の下側フラップ１７０が折罫線１７２で区切られて設けられている。
【００５０】
側面１８の、側面１６の折罫線１６８に連接する端部には、上蓋片１７４が折罫線１７６で区切られて設けられている。上蓋片１７４の、折罫線１７６と反対側の端部には、差込片１７８が折罫線１８０で区切られて設けられている。側面１８の、折罫線３０に近い部分には矩形の第２カード片８０が設けられている。第２カード片８０は、カード片用破断線８２で囲まれて形成されている。側面１８の、折罫線１７６と反対側の端部には、下蓋片１８２が折罫線１８４で区切られて設けられている。下蓋片１８２の、折罫線１８４と反対側の端部には、差込片１８６が折罫線１８８で区切られて設けられている。
【００５１】
側面２０の、側面１８の折罫線１７６に連接する端部には、台形状の上側フラップ１９０が折罫線１９２で区切られて設けられている。側面２０の、折罫線１９２と反対側の端部には、台形状の下側フラップ１９４が折罫線１９６で区切られて設けられている。
【００５２】
次に、この実施形態の包装用箱１５４の組立方法の一例について説明する。なお、ここで図８が包装用箱１５４の箱体形成片１５６の表面を見たものである。
【００５３】
まず、糊付片２２の表面に糊８８を塗付する。第１カード片３２の表面の、箱体形成片１２の組立状態で側面１８の第２カード片８０に重ねられる部分に、糊９０を塗布する。そして、折罫線２４を正折りし、折罫線２８を正折りする。これにより、糊付片２２の表面は糊８８により側面２０の裏面に糊付けされ、第１カード片３２は糊９０により側面１８の第２カード片８０の裏面に糊付けされる。これにより箱体形成片１５６は折り畳み状態となり、この状態で出荷される。
【００５４】
次に内容物を収容し包装する工場等において、折罫線２４，２６，２８，３０を各々９０°に正折りして四角形の箱体にする。このとき、カード片用破断線３４は折罫線３０に一致しているため、折罫線３０とともに９０°に正折りされる。折罫線１７２，１９６で下側フラップ１７０，１９４を各々９０°に正折りし、折罫線１８４で下蓋片１８２を９０°に正折りし、差込片１８６を折罫線１８８で正折りし、差込片１８６を側面１４の内側に差し込み、糊１９８により糊付け部１６２に糊付けし、箱体の底部が形成され、包装用箱１５４が組み立てられる。ここまで組み立てられた包装用箱１５４の中に内容物を入れる。そして折罫線１６８，１９２で上側フラップ１６６，１９０を各々９０°に正折りし、折罫線１７６で上蓋片１７４を９０°に正折りし、差込片１７８を折罫線１８０で正折りし、差込片１７８を側面１４の内側に差し込み、糊２００により糊付け部１５８に糊付けし、箱体の蓋部が形成され、内容物が包装される。
【００５５】
包装用箱１５４を開封するときは、側面１４の糊付け部１５８を押して開封用破断線１６０を切断し、上蓋片１７４を開封し、上方に引き上る。第１カード片３２は、第一実施形態と同様に、摘み部３６を持って糊付片２２から離すように引くと、カード片用破断線３４が切断され、箱体と分離する。側面１８の第２カード片８０は糊９０で第１カード片３２に糊付けされているため、カード片用破断線８２が切断されて第１カード片３２に貼りついた状態のままで箱体から分離される。
【００５６】
包装用箱１５４を廃棄するときは、側面１４の糊付け部１６２を押して開封用破断線１６４を切断する。これにより、下蓋片１８２が開かれて底部が壊され包装用箱１０を平坦に折り畳み、破棄しやすい状態となる。
【００５７】
この実施形態の包装用箱１５４によれば、第一実施形態の包装用箱１０と同様の効果を有するものである。カード片３２が、大きい側面１８の裏面に重ねられて、大きい面積で設けることができ、印刷スペースを広くすることができる。
【００５８】
なお、この考案の包装用箱は、上記各実施形態に限定されるものではなく、各部材の形状等自由に変更可能である。第１カード片は、両面印刷でもよく、両面印刷することにより多くの情報を印刷することができる。側面の中の第２カード片の位置や形状、大きさ等は自由であり、デザインや箱体の形状に合わせて適した位置や大きさに設けることができる。第２カード片が複数個設けられてもよい。箱体形成片の組立工程は上記実施形態に限定されるものではなく、自由に変更可能である。
【符号の説明】
【００５９】
１０  包装用箱
１２  箱体形成片
１４，１６，１８，２０  側面
２２  糊付片
３２  第１カード片
３４，８２  カード片用破断線
３６  摘み部
８０  第２カード片
８８，９０  糊
【図１】
0003172649.tif 000003
【図２】
0003172649.tif 000004
【図３】
0003172649.tif 000005
【図４】
0003172649.tif 000006
【図５】
0003172649.tif 000007
【図６】
0003172649.tif 000008
【図７】
0003172649.tif 000009
【図８】
0003172649.tif 000010